(57)【要約】  本発明に係るスクロール型圧縮機は、第１基板（５１）と第１内壁（５２）を有する、可動スクロール（５０）と、第２基板（６１）と、第２内壁（６２）と、を有する固定スクロール（６０）と、シャフト（３０）と、軸受部材（４０）と、を備え、軸受部材（４０）の内壁には、ピン部材（９０）が立設されていて、第１基板（５１）の第１面には、ピン部材（９０）と対向する位置に凹部が設けられていて、凹部には、円筒状のカラー部材（５３）が固定されていて、カラー部材（５３）は、外周面の中間部が、外周面の上端部及び下端部に比して、内方に位置するように形成され、その内周面にピン部材（９０）が周方向に摺動するように構成されている。
2018096965.tif 000002
【特許請求の範囲】
【請求項１】
第１面と、前記第１面とは反対側の第２面を有する第１基板と、前記第１基板の前記第１面に立設されている渦巻き状の第１内壁と、を有する可動スクロールと、
第３面を有する第２基板と、前記第２基板の前記第３面に立設されている渦巻き状の第２内壁と、を有する固定スクロールと、
主軸と偏心軸を有するシャフトと、
前記シャフトの前記主軸を支持する円環状の軸受部材と、を備え、
前記第１基板の前記第２面には、凹部が設けられていて、
前記軸受部材の内側には、前記凹部と対向する位置にピン部材が立設されていて、
前記凹部には、内周面を前記ピン部材が周方向に摺動する円筒状のカラー部材が固定されていて、
前記カラー部材の周壁には前記主軸の軸方向に延びるスリットを有する、スクロール型圧縮機。
【請求項２】
前記カラー部材は、前記スリットが前記カラー部材の内周面における前記ピン部材との摺動領域に位置しないように、前記凹部に固定されている、請求項１に記載のスクロール型圧縮機。
【請求項３】
第１面と、前記第１面とは反対側の第２面を有する第１基板と、前記第１基板の前記第１面に立設されている渦巻き状の第１内壁と、を有する可動スクロールと、
第３面を有する第２基板と、前記第２基板の前記第３面に立設されている渦巻き状の第２内壁と、を有する固定スクロールと、
主軸と偏心軸とを有するシャフトと、
前記シャフトの前記主軸を軸支し、前記可動スクロールが収容されている円環状の軸受部材と、を備え、
前記第１基板の前記第２面には、凹部が設けられていて、
前記軸受部材の内側には、前記凹部と対向する位置にピン部材が立設されていて、
前記凹部には、円筒状のカラー部材が固定されていて、
前記カラー部材は、外周面と内周面とを有し、前記外周面は前記凹部の底に位置する上端部と、前記凹部の開口に位置する下端部と、前記上端部と前記下端部との中間に位置する中間部とを含み、前記外周面の前記上端部及び前記下端部に比して、前記中間部が内方に位置し、前記カラー部材の前記内周面に前記ピン部材が周方向に摺動するように構成されている、スクロール型圧縮機。
【請求項４】
前記カラー部材は、ボビン状である、請求項３に記載のスクロール型圧縮機。
【請求項５】
前記凹部の内周壁における前記カラー部材の前記中間部と対向する位置に、凸部が設けられた、請求項３又は４に記載のスクロール型圧縮機。
【請求項６】
スクロール型圧縮機の製造方法であって、
前記スクロール型圧縮機は、
第１面と、前記第１面とは反対側の第２面を有する第１基板と、前記第１基板の前記第１面に立設されている渦巻き状の第１内壁と、を有する可動スクロールと、
第３面を有する第２基板と、前記第２基板の前記第３面に立設されている渦巻き状の第２内壁と、を有する固定スクロールと、
主軸と偏心軸を有するシャフトと、
前記シャフトの前記主軸を軸支し、前記可動スクロールが収容されている円環状の軸受部材と、
外周面と内周面とを有し、前記外周面は前記第２面に対向する上端部と、前記上端部と反対側に位置する下端部と、前記上端部と前記下端部との中間に位置する中間部とを含み、前記外周面の前記上端部及び前記下端部に比して、前記中間部が内方に位置するカラー部材と、
を備え、
前記製造方法は、
前記第１基板の前記第２面に凹部を形成する第１工程と、
前記第１工程の後、前記カラー部材を前記凹部に挿入する第２工程と、
を備える、スクロール型圧縮機の製造方法。
【請求項７】
前記第２工程の後、前記凹部の内周壁における前記カラー部材の前記外周面の前記中間部と対向する位置に、凸部を形成する第３工程とをさらに備え、
前記凸部は、前記第１基板の側壁を打撃することにより、形成する、請求項６に記載のスクロール型圧縮機の製造方法。
【発明の詳細な説明】
【技術分野】
【０００１】
本発明は、スクロール型圧縮機及びスクロール型圧縮機の製造方法に関するものである。
【背景技術】
【０００２】
スクロール型圧縮機は、固定スクロールの基板に立設されている渦巻き状の内壁と、可動スクロールの基板に立設されている渦巻き状の内壁と、の間に形成される内部空間（圧縮室）の体積が、可動スクロールの公転運動により、減少することにより、冷媒ガスが圧縮される。【０００３】
このようなスクロール型圧縮機において、可動スクロールの自転を防止することを目的としたスクロール型圧縮機が知られている（例えば、特許文献１参照）。特許文献１に開示されているスクロール型圧縮機では、可動スクロールに作用する圧縮室の圧縮反力を受け止めるハウジング側の受圧壁と、可動スクロールのスクロール基板と、の間に、自転阻止ピンが一体的に設けられている公転位置規制リングを介在させている。【０００４】
そして、受圧壁及びスクロール基板に設けられている公転位置規制孔に自転阻止ピンを挿入し、自転阻止ピンを公転位置規制孔の内周面に摺動させることにより、可動スクロールの自転を阻止している。
【先行技術文献】
【特許文献】
【０００５】
【特許文献１】日本特許第３０１８８５０号
【発明の概要】
【０００６】
しかしながら、上記特許文献１に開示されているスクロール型圧縮機では、スクロール基板に設けられている凹部に、円筒形状のカラー（公転位置規制孔）を嵌入固定している。このため、カラーを凹部に嵌入するときに、可動スクロールの渦巻き状の内壁が押圧により、変形するおそれがあった。
【０００７】
本発明は、上記課題を鑑みてなされたものであり、カラー部材を可動スクロールの基板に設けられている凹部に嵌入するときに、可動スクロールの渦巻き状の内壁の変形を抑制することができる、スクロール型圧縮機及びスクロール型圧縮機の製造方法を提供することを目的とする。
【０００８】
上記従来の課題を解決するために、本発明に係るスクロール型圧縮機は、可動スクロールと、固定スクロールと、シャフトと、軸受部材と、を備える。可動スクロールは、第１面と、前記第１面とは反対側の第２面を有する第１基板と、前記第１基板の前記第１面に立設されている渦巻き状の第１内壁と、を有する。固定スクロールは、第３面を有する第２基板と、前記第２基板の前記第３面に立設されている渦巻き状の第２内壁と、を有する。シャフトは、主軸と偏心軸を有する。軸受部材は、円環状であり、前記シャフトの前記主軸を軸支する。前記第１基板の前記第２面には、凹部が設けられていて、前記軸受部材の内側には、前記凹部と対向する位置にピン部材が立設されていて、前記凹部には、円筒状のカラー部材が固定されている。前記カラー部材の周壁に前記主軸の軸方向に延びるスリットが設けられ、凹部の内周面を前記ピン部材が周方向に摺動するように構成されている。
【０００９】
これにより、カラー部材を可動スクロールの基板に設けられている凹部に嵌入するときに、可動スクロールの渦巻き状の内壁の変形を抑制することができる。
【００１０】
本発明の上記目的、他の目的、特徴、及び利点は、添付図面参照の下、以下の好適な実施形態の詳細な説明から明らかにされる。
【００１１】
本発明に係るスクロール型圧縮機によれば、カラー部材を可動スクロールの基板に設けられている凹部に嵌入するときに、可動スクロールの渦巻き状の内壁の変形を抑制することができる。
【図面の簡単な説明】
【００１２】
【図１】図１は、実施の形態１に係るスクロール型圧縮機の概略構成を模式的に示す断面図である。
【図２】図２は、図１に示すスクロール型圧縮機の可動スクロールの背面図である。
【図３】図３は、図１に示すスクロール型圧縮機のカラー部材の概略構成を示す斜視図である。
【図４】図４は、実施の形態２に係るスクロール型圧縮機における可動スクロールの概略構成を模式的に示す断面図である。
【図５】図５は、図４に示す破線部分を拡大した模式図である。
【図６】図６は、実施の形態３に係るスクロール型圧縮機の概略構成を模式的に示す断面図である。
【図７】図７は、実施の形態３に係るスクロール型圧縮機の可動スクロールの背面図である。
【図８】図８は、実施の形態３に係るスクロール型圧縮機のカラー部材の概略構成を示す斜視図である。
【発明を実施するための形態】
【００１３】
以下、本発明の実施の形態について、図面を参照しながら説明する。なお、全ての図面において、同一又は相当部分には同一符号を付し、重複する説明は省略する場合がある。また、全ての図面において、本発明を説明するための構成要素を抜粋して図示しており、その他の構成要素については図示を省略する場合がある。さらに、以下の実施の形態によって本発明が限定されるものではない。
【００１４】
（実施の形態１）
本発明の実施の形態１に係るスクロール型圧縮機は、可動スクロールと、固定スクロールと、シャフトと、軸受部材と、を備える。可動スクロールと、第１面と、第１面とは反対側の第２面を有する第１基板と、第１基板の第１面に立設されている渦巻き状の第１内壁と、を有する。固定スクロールは、第３面を有する第２基板と、第３面に立設されている渦巻き状の第２内壁と、を有する。シャフトは、主軸と偏心軸を有する。軸受部材は、円環状であり、シャフトの主軸を軸支し、可動スクロールが収容されている。第１基板の第２面には、凹部が設けられていて、軸受部材の内側には、前記凹部と対向する位置にピン部材が立設されていて、凹部には、円筒状のカラー部材が固定されている。カラー部材は、外周面と内周面とを有し、前記外周面は前記凹部の底に位置する上端部と、前記凹部の開口に位置する下端部と、前記上端部と前記下端部との中間に位置する中間部とを含み、外周面の上端部及び下端部に比して、中間部が内方に位置し、カラー部材の内周面にピン部材が周方向に摺動するように構成されている。
【００１５】
また、実施の形態１に係るスクロール型圧縮機では、カラー部材は、ボビン状に形成されていてもよい。
【００１６】
以下、実施の形態１に係るスクロール型圧縮機の一例について、図１〜図３を参照しながら説明する。
【００１７】
［スクロール型圧縮機の構成］
図１は、実施の形態１に係るスクロール型圧縮機の概略構成を模式的に示す断面図である。なお、図１は実施例の説明上、上下方向を定義しているが、スクロール圧縮機の使用状態がこの状態に限定されるわけではない。また、図１においては、主容器の内部構造について、断面で示し、第１及び第２副容器については、その内部構造を示していない。
【００１８】
図１に示すように、実施の形態１に係るスクロール型圧縮機１００は、主容器１０と、主容器１０の下部に設けられた第１副容器１１と、主容器１０の上部に設けられた第２副容器１２とを備えている。また、主容器１０の内部には、冷媒が封入されている。
【００１９】
主容器１０は、筒状に形成されていて、その内部空間には、回転子２１と固定子２２を有する電動モータ２０、主軸３１と偏心軸３２を有するシャフト３０、軸受部材４０、可動スクロール５０、及び固定スクロール６０が配置されている。具体的には、電動モータ２０が、下方に配置されていて、可動スクロール５０及び固定スクロール６０が上方に配置されている。なお、電動モータ２０には、電動モータ２０に供給する電力をインバータ制御するインバータ装置が接続されている。
【００２０】
主容器１０の底面１０ａの中央位置には、上方に突出するようにボス部１０ｂが形成されている。ボス部１０ｂの内周面には、第２ベアリング７２が嵌合されている。第２ベアリング７２は、例えば、ラジアル玉軸受で構成されていてもよい。
【００２１】
第２ベアリング７２には、シャフト３０の主軸３１の先端部（下端部）が嵌挿され、支持されている。主軸３１の周面には、電動モータ２０の回転子２１が固定され、固定子２２はこの回転子２１の周りを囲むようにして設けられている。これにより、シャフト３０は、電動モータ２０が駆動すると、回転子２１の回転に伴って回転することができる。
【００２２】
軸受部材４０は、大径筒部の下部に有底の小径筒部を接続したような構成であり、小径筒部の底面４０ａには、貫通孔４０ｂが形成され円環状となっている。また、底面４０ａには、第１ベアリング７１が配置されている。そして、シャフト３０の主軸３１の基端部（上端部）が、貫通孔４０ｂ及び第１ベアリング７１を挿通している。これにより、シャフト３０は、第１ベアリング７１を介して、軸受部材４０に軸支される。なお、第１ベアリング７１としては、例えば、ラジアル玉軸受で構成されていてもよい。
【００２３】
軸受部材４０において、大径筒部と小径筒部とを接続する部分には、上方に面を向けた段部４０ｃが形成されている。この段部４０ｃには、板部材８０を介して可動スクロール５０が配置されている。また、軸受部材４０の大径筒部の上端には、固定スクロール６０が配置されている。
【００２４】
可動スクロール５０は、円板状の第１基板５１と、第１基板５１の上面（第１面）に立設されている渦巻き状の第１内壁５２と、を有している。また、固定スクロール６０は、円板状の第２基板６１と、第２基板６１の下面（第３面）に立設されている渦巻き状の第２内壁６２と、を有している。
【００２５】
そして、可動スクロール５０と固定スクロール６０は、第１内壁５２と第２内壁６２がかみ合うように配置されている。換言すると、可動スクロール５０と固定スクロール６０は、水平方向から見て、第１内壁５２と第２内壁６２が互いに対向するように配置されている。第１内壁５２と第２内壁６２との間に形成される空間が、圧縮室５５を構成する。
【００２６】
可動スクロール５０の下面（正確には、第１基板５１の下面：第２面）の略中央部には、上方へ窪んだ第１凹部５１ａが形成されている。第１凹部５１ａには、ラジアル玉軸受などの第３ベアリング７３が嵌合している。一方、上述したシャフト３０は、主軸３１の上端から延びる偏心軸３２を有し、この偏心軸３２は、ブッシュ３３を介して、第３ベアリング７３に挿通している。
【００２７】
従って、電動モータ２０が駆動してシャフト３０が回転すると、シャフト３０を中心にして、偏心軸３２と共に可動スクロール５０が公転する。そして、可動スクロール５０の公転に伴い、圧縮室５５の容積が変化する。
【００２８】
ところで、軸受部材４０の段部４０ｃの適所には、所定間隔をあけて、周方向に並ぶように、複数（ここでは、６つ）のピン部材９０が立設されている。具体的には、ピン部材９０は、段部４０ｃに設けられている凹部４０ｄに嵌入されていて、軸受部材４０に固定されている。
【００２９】
また、軸受部材４０と可動スクロール５０との間に挟まれた板部材８０は、円環状に形成されていて、その主面のピン部材９０と対向する位置には、貫通孔が設けられている。
【００３０】
可動スクロール５０の第１基板５１の下面（他方の主面：第２面）には、上述したように略中央部に第１凹部５１ａが形成されており、更に、第１凹部５１ａの周りには、複数の第２凹部５１ｂ（図２参照）が形成されている。第１凹部５１ａには、上述したように、第３ベアリング７３が嵌合されていて、第２凹部５１ｂには、カラー部材５３が嵌合されている。
【００３１】
ここで、図２及び図３を参照しながら、第１凹部５１ａ、第２凹部５１ｂ、及びカラー部材５３について、さらに詳細に説明する。
【００３２】
図２は、図１に示すスクロール型圧縮機の可動スクロールの背面図である。図３は、図１に示すスクロール型圧縮機のカラー部材の概略構成を示す斜視図である。
【００３３】
図２に示すように、第１基板５１の略中央部には、第１凹部５１ａが形成されている。また、第１基板５１の周縁部には、周方向に沿って、所定間隔をあけて、並ぶように、複数（ここでは、６つ）の第２凹部５１ｂが形成されている。第２凹部５１ｂには、カラー部材５３が嵌合されている。
【００３４】
具体的には、第１基板５１の下面におけるピン部材９０と対向する位置に、第２凹部５１ｂが形成されている。より詳細には、ピン部材９０が、カラー部材５３の内周面と周方向に向かって摺動できるように、第２凹部５１ｂが形成されている。
【００３５】
図３に示すように、カラー部材５３は、円筒状に形成されていて、外周面の中間部５３ａが、外周面の上端部５３ｂ及び下端部５３ｃに比して、内方に位置するように形成されている。換言すると、カラー部材５３は、ボビン状に形成されている。なお、カラー部材５３の上端部５３ｂは、カラー部材５３の上端面から、カラー部材５３の高さ寸法の１／３以下までの部分であってもよい。また、カラー部材５３の下端部５３ｃは、カラー部材５３の下端面から、カラー部材５３の高さ寸法の１／３以下までの部分であってもよい。
【００３６】
なお、実施の形態１においては、カラー部材５３がボビン状に形成されている形態を採用したが、これに限定されない。カラー部材５３の中間部５３ａは、外周面の上端部５３ｂ及び下端部５３ｃに比して、内方に位置するように形成されていればよく、例えば、カラー部材５３の中間部５３ａが、１つ以上の窪みを有する形態を採用してもよい。また、例えば、カラー部材５３の中間部５３ａに、１つ以上の軸方向、又は周方向に延びる溝が形成されている形態を採用してもよい。
【００３７】
［スクロール型圧縮機の製造方法及びその作用効果］
次に、実施の形態１に係るスクロール型圧縮機１００の製造方法について、図１〜図３を参照しながら、説明する。なお、公知のスクロール型圧縮機と同様に製造される部分については、その説明を省略する。
【００３８】
まず、軸受部材４０における段部４０ｃの適所に、凹部４０ｄを設ける。また、可動スクロール５０における第１基板５１の他方の主面の適所に、第１凹部５１ａ及び第２凹部５１ｂを設ける。さらに、板部材８０の適所に、貫通孔を設ける。
【００３９】
次に、軸受部材４０の凹部４０ｄに、ピン部材９０を嵌入して、ピン部材９０を凹部４０ｄに固定する。ついで、板部材８０の貫通孔にピン部材９０を挿通させながら、板部材８０を軸受部材４０の段部４０ｃに載置する。
【００４０】
また、可動スクロール５０における第１基板５１の第１凹部５１ａに第３ベアリング７３を嵌入して、第３ベアリング７３を第１凹部５１ａに固定する。また、第２凹部５１ｂにカラー部材５３を嵌入する。
【００４１】
カラー部材５３は、外周面の中間部５３ａが、外周面の上端部５３ｂ及び下端部５３ｃに比して、内方に位置するように形成されている。これにより、第２凹部５１ｂにカラー部材５３を嵌入するときに、第２凹部５１ｂとの接触面積を小さくすることができる。このため、第１基板５１に無理な圧力がかからないため、第１内壁５２の変形を抑制することができる。
【００４２】
次に、カラー部材５３の中空に、ピン部材９０が挿通するように、可動スクロール５０を板部材８０の上に配置させる。また、可動スクロール５０の第１内壁５２と固定スクロール６０の第２内壁６２がかみ合うように、可動スクロール５０に固定スクロール６０を係合させる。
【００４３】
このように構成された、実施の形態１に係るスクロール型圧縮機１００では、カラー部材５３における外周面の中間部５３ａが、外周面の上端部５３ｂ及び下端部５３ｃに比して、内方に位置するように形成されている。
【００４４】
これにより、第２凹部５１ｂにカラー部材５３を嵌入するときに、第２凹部５１ｂとの接触面積を小さくすることができる。このため、第１基板５１に無理な圧力がかからないため、第１内壁５２の変形を抑制することができる。
【００４５】
なお、実施の形態１においては、スクロール型圧縮機１００をシャフト３０の主軸３１の軸心が鉛直方向に向いている形態を採用したが、これに限定されず、主軸３１の軸心が水平方向に向いている形態を採用してもよい。
【００４６】
（実施の形態２）
本発明の実施の形態２に係るスクロール型圧縮機は、凹部の内周壁におけるカラー部材の外周面の中間部と対向する位置に、凸部が形成されている。
【００４７】
以下、実施の形態２に係るスクロール型圧縮機の一例について、図４を参照しながら、説明する。
【００４８】
［スクロール型圧縮機の構成］
図４は、実施の形態２に係るスクロール型圧縮機における可動スクロールの概略構成を模式的に示す断面図である。図５は、図４に示す破線部分を拡大した模式図である。
【００４９】
図４及び図５に示すように、実施の形態２に係るスクロール型圧縮機１００は、実施の形態１に係るスクロール型圧縮機１００と基本的構成は同じである。しかし、可動スクロール５０における第２凹部５１ｂを形成する第１基板５１の側壁に凸部５１ｃが形成されている点が異なる。具体的には、凸部５１ｃは、第１基板５１の第２凹部５１ｂを形成する内周壁において、カラー部材５３の中間部５３ａと対向する部分に形成されている。
【００５０】
これにより、カラー部材５３が、第２凹部５１ｂから抜け落ちようとしても、カラー部材５３の上端部５３ｂが、凸部５１ｃと係合するので、カラー部材５３が、第２凹部５１ｂから抜け落ちることを防止することができる。
【００５１】
［スクロール型圧縮機の製造方法及びその作用効果］
次に、実施の形態２に係るスクロール型圧縮機１００の製造方法について、図４及び図５を参照しながら説明する。なお、公知のスクロール型圧縮機と同様に製造される部分については、その説明を省略する。
【００５２】
まず、軸受部材４０における段部４０ｃの適所に、凹部４０ｄを設ける。また、可動スクロール５０における第１基板５１の他方の主面の適所に、第１凹部５１ａ及び第２凹部５１ｂを設ける。さらに、板部材８０の適所に、貫通孔を設ける。
【００５３】
次に、軸受部材４０の凹部４０ｄに、ピン部材９０を嵌入して、ピン部材９０を凹部４０ｄに固定する。ついで、板部材８０の貫通孔にピン部材９０を挿通させながら、板部材８０を軸受部材４０の段部４０ｃに載置する。
【００５４】
また、可動スクロール５０における第１基板５１の第１凹部５１ａに第３ベアリング７３を嵌入して、第３ベアリング７３を第１凹部５１ａに固定する。また、第２凹部５１ｂにカラー部材５３を嵌入する。ついで、水平方向から見て、第１基板５１の凸部５１ｃを形成させたい部分に対向する側壁部分５１ｄをハンマー等で打撃することで、凸部５１ｃを形成する。
【００５５】
次に、カラー部材５３の中空に、ピン部材９０が挿通するように、可動スクロール５０を板部材８０の上に配置させる。また、可動スクロール５０の第１内壁５２と固定スクロール６０の第２内壁６２がかみ合うように、可動スクロール５０に固定スクロール６０を係合させる。
【００５６】
このように構成された、実施の形態２に係るスクロール型圧縮機１００であっても、実施の形態１に係るスクロール型圧縮機１００と同様の作用効果を奏する。
【００５７】
また、実施の形態２に係るスクロール型圧縮機１００では、凸部５１ｃが、第１基板５１の第２凹部５１ｂを形成する内周壁において、カラー部材５３の中間部５３ａと対向する部分に形成されている。これにより、カラー部材５３が、第２凹部５１ｂから抜け落ちようとしても、カラー部材５３の上端部５３ｂが、凸部５１ｃと係合するので、カラー部材５３が、第２凹部５１ｂから抜け落ちることを防止することができる。
【００５８】
（実施の形態３）
本発明の実施の形態３に係るスクロール型圧縮機は、可動スクロールと、固定スクロールと、シャフトと、軸受部材と、を備える。可動スクロールは、第１面と、前記第１面とは反対側の第２面を有する第１基板と、前記第１基板の前記第１面に立設されている渦巻き状の第１内壁と、を有する。固定スクロールは、第３面を有する第２基板と、前記第２基板の前記第３面に立設されている渦巻き状の第２内壁と、を有する。シャフトは、主軸と偏心軸を有する。軸受部材は、円環状であり、前記シャフトの前記主軸を軸支する。前記第１基板の前記第２面には、凹部が設けられていて、前記軸受部材の内側には、前記凹部と対向する位置にピン部材が立設されていて、前記凹部には、円筒状のカラー部材が固定されている。前記カラー部材の周壁に前記主軸の軸方向に延びるスリットが設けられ、凹部の内周面を前記ピン部材が周方向に摺動するように構成されている。
【００５９】
また、実施の形態３に係るスクロール型圧縮機では、カラー部材は、スリットがピン部材との摺動領域に位置しないように、凹部に固定されていてもよい。
【００６０】
以下、実施の形態３に係るスクロール型圧縮機の一例について、図６〜図８を参照しながら説明する。
【００６１】
［スクロール型圧縮機の構成］
図６は、実施の形態３に係るスクロール型圧縮機の概略構成を模式的に示す断面図である。ただし、カラー部材５３がカラー部材５６に置き換わる以外は、図１と共通するため、図６の説明は、省略する。
【００６２】
ここで、図７及び図８を参照しながら、第１凹部５１ａ、第２凹部５１ｂ、及びカラー部材５６について、さらに詳細に説明する。
【００６３】
図７は、図６に示すスクロール型圧縮機の可動スクロールの背面図である。図８は、図６に示すスクロール型圧縮機のカラー部材の概略構成を示す斜視図である。
【００６４】
図７に示すように、第１基板５１の略中央部には、第１凹部５１ａが形成されている。また、第１基板５１の周縁部には、周方向に沿って、所定間隔をあけて、並ぶように、複数（ここでは、６つ）の第２凹部５１ｂが形成されている。第２凹部５１ｂには、カラー部材５６が嵌合されている。
【００６５】
具体的には、第１基板５１の下面におけるピン部材９０と対向する位置に、第２凹部５１ｂが形成されている。より詳細には、ピン部材９０が、カラー部材５６の内周面と周方向に向かって摺動できるように、第２凹部５１ｂが形成されている。
【００６６】
なお、カラー部材５６の内周面におけるピン部材９０と摺動する領域（以下、摺動領域５４という）は、可動スクロール５０の第１内壁５２及び固定スクロール６０の第２内壁６２における渦の巻く方向（時計回り又は反時計回り）と、可動スクロール５０の回転する方向と、可動スクロール５０にかかる遠心力と、圧縮室５５から可動スクロール５０にかかる圧縮反力と、により、設定することができる。摺動領域５４は、例えば、図７に示す太線部分であってもよい。
【００６７】
図８に示すように、カラー部材５６は、円筒状に形成されていて、軸心方向に延びるように、スリット５６ａが形成されている。換言すると、カラー部材５６は、軸心方向から見て、Ｃ字状に形成されている。また、カラー部材５６は、高炭素クロム軸受鋼ＳＵＪ２(ＪＩＳ規格)で構成されていてもよい。
【００６８】
［スクロール型圧縮機の製造方法及びその作用効果］
次に、実施の形態３に係るスクロール型圧縮機１００の製造方法について、図６〜図８を参照しながら、説明する。なお、公知のスクロール型圧縮機と同様に製造される部分については、その説明を省略する。
【００６９】
まず、軸受部材４０における段部４０ｃの適所に、凹部４０ｄを設ける。また、可動スクロール５０における第１基板５１の他方の主面の適所に、第１凹部５１ａ及び第２凹部５１ｂを設ける。さらに、板部材８０の適所に、貫通孔を設ける。
【００７０】
次に、軸受部材４０の凹部４０ｄに、ピン部材９０を嵌入して、ピン部材９０を凹部４０ｄに固定する。ついで、板部材８０の貫通孔にピン部材９０を挿通させながら、板部材８０を軸受部材４０の段部４０ｃに載置する。
【００７１】
また、可動スクロール５０における第１基板５１の第１凹部５１ａに第３ベアリング７３を嵌入して、第３ベアリング７３を第１凹部５１ａに固定する。また、第２凹部５１ｂにカラー部材５６を嵌入する。
【００７２】
このとき、カラー部材５６のスリット５６ａの周方向の長さが小さくなるように、カラー部材５６の外周面を押圧する。これにより、カラー部材５６の外周が小さくなり、第２凹部５１ｂに嵌入しやすくなる。また、第１基板５１に無理な押圧がかからないため、第１内壁５２の変形を抑制することができる。さらに、カラー部材５６を第２凹部５１ｂに嵌入した後は、スリット５６ａが元の大きさに戻り、カラー部材５６のばね力により、カラー部材５６は、第２凹部５１ｂに固定される。
【００７３】
また、スリット５６ａが、予め設定されているピン部材９０との摺動領域５４に位置しないように、カラー部材５６を第２凹部５１ｂに嵌入させてもよい。これにより、スクロール型圧縮機１００が動作するときに、ピン部材９０が、スリット５６ａに引っかかることを抑制することができる。このため、可動スクロール５０の公転運動が阻害されることを抑制することができる。
【００７４】
次に、カラー部材５６の中空に、ピン部材９０が挿通するように、可動スクロール５０を板部材８０の上に配置させる。また、可動スクロール５０の第１内壁５２と固定スクロール６０の第２内壁６２がかみ合うように、可動スクロール５０に固定スクロール６０を係合させる。
【００７５】
このように構成された、実施の形態３に係るスクロール型圧縮機１００では、カラー部材５６に軸方向に延びるスリット５６ａが形成されている。
【００７６】
これにより、カラー部材５６を可動スクロール５０における第１基板５１の第２凹部５１ｂに嵌入しやすくなる。また、カラー部材５６を第２凹部５１ｂに嵌入するときに、第１基板５１に無理な外力がかからないため、第１内壁５２の変形を抑制することができる。さらに、カラー部材５６を第２凹部５１ｂに陥入した後は、スリット５６ａが元の大きさに戻り、カラー部材５６のばね力により、カラー部材５６を、第２凹部５１ｂに固定することができる。
【００７７】
また、実施の形態３に係るスクロール型圧縮機１００では、スリット５６ａが、予め設定されているピン部材９０との摺動領域５４に位置しないように、カラー部材５６を第２凹部５１ｂに固定させている。これにより、スクロール型圧縮機１００が動作するときに、ピン部材９０が、スリット５６ａに引っかかることを抑制することができる。このため、可動スクロール５０の公転運動が阻害されることを抑制することができる。
【００７８】
なお、実施の形態３においては、スクロール型圧縮機１００をシャフト３０の主軸３１の軸心が鉛直方向に向いている形態を採用したが、これに限定されず、主軸３１の軸心が水平方向に向いている形態を採用してもよい。
【００７９】
上記説明から、当業者にとっては、本発明の多くの改良及び他の実施形態が明らかである。したがって、上記説明は、例示としてのみ解釈されるべきであり、本発明を実行する最良の態様を当業者に教示する目的で提供されたものである。本発明の要旨を逸脱することなく、その構造及び機能の少なくとも一方の詳細を実質的に変更できる。また、上記実施形態に開示されている複数の構成要素の適宜な組合せにより種々の変形を形成できる。
【産業上の利用可能性】
【００８０】
本発明に係るスクロール型圧縮機及びスクロール型圧縮機の製造方法は、カラー部材を可動スクロールの基板に設けられている凹部に嵌入するときに、可動スクロールの渦巻き状の内壁の変形を抑制することができるため、有用である。
【符号の説明】
【００８１】
１０  主容器
１０ａ  底面
１０ｂ  ボス部
１１  第１副容器
１２  第２副容器
２０  電動モータ
２１  回転子
２２  固定子
３０  シャフト
３１  主軸
３２  偏心軸
３３  ブッシュ
４０  軸受部材
４０ａ  底面
４０ｂ  貫通孔
４０ｃ  段部
４０ｄ  凹部
５０  可動スクロール
５１  第１基板
５１ａ  第１凹部
５１ｂ  第２凹部
５１ｃ  凸部
５１ｄ  側壁部分
５２  第１内壁
５３，５６  カラー部材
５３ａ  中間部
５３ｂ  上端部
５３ｃ  下端部
５６ａ  スリット
５４  摺動領域
５５  圧縮室
６０  固定スクロール
６１  第２基板
６２  第２内壁
７１  第１ベアリング
７２  第２ベアリング
７３  第３ベアリング
８０  板部材
９０  ピン部材
１００  スクロール型圧縮機
【図１】
2018096965.tif 000003
【図２】
2018096965.tif 000004
【図３】
2018096965.tif 000005
【図４】
2018096965.tif 000006
【図５】
2018096965.tif 000007
【図６】
2018096965.tif 000008
【図７】
2018096965.tif 000009
【図８】
2018096965.tif 000010
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
第１面と、前記第１面とは反対側の第２面を有する第１基板と、前記第１基板の前記第１面に立設されている渦巻き状の第１内壁と、を有する可動スクロールと、
第３面を有する第２基板と、前記第２基板の前記第３面に立設されている渦巻き状の第２内壁と、を有する固定スクロールと、
主軸と偏心軸を有するシャフトと、
前記シャフトの前記主軸を支持する円環状の軸受部材と、を備え、
前記第１基板の前記第２面には、凹部が設けられていて、
前記軸受部材の内側には、前記凹部と対向する位置にピン部材が立設されていて、
前記凹部には、内周面を前記ピン部材が周方向に摺動する円筒状のカラー部材が固定されていて、
前記カラー部材の周壁には前記主軸の軸方向に延びるスリットを有し、
前記カラー部材は、前記スリットが前記カラー部材の内周面における前記ピン部材との摺動領域に位置しないように、前記凹部に固定されている、スクロール型圧縮機。
【請求項２】
第１面と、前記第１面とは反対側の第２面を有する第１基板と、前記第１基板の前記第１面に立設されている渦巻き状の第１内壁と、を有する可動スクロールと、
第３面を有する第２基板と、前記第２基板の前記第３面に立設されている渦巻き状の第２内壁と、を有する固定スクロールと、
主軸と偏心軸とを有するシャフトと、
前記シャフトの前記主軸を軸支し、前記可動スクロールが収容されている円環状の軸受部材と、を備え、
前記第１基板の前記第２面には、凹部が設けられていて、
前記軸受部材の内側には、前記凹部と対向する位置にピン部材が立設されていて、
前記凹部には、円筒状のカラー部材が固定されていて、
前記カラー部材は、外周面と内周面とを有し、前記外周面は前記凹部の底に位置する上端部と、前記凹部の開口に位置する下端部と、前記上端部と前記下端部との中間に位置する中間部とを含み、前記外周面の前記上端部及び前記下端部に比して、前記中間部が内方に位置し、前記カラー部材の前記内周面に前記ピン部材が周方向に摺動するように構成されている、スクロール型圧縮機。
【請求項３】
前記カラー部材は、ボビン状である、請求項２に記載のスクロール型圧縮機。
【請求項４】
前記凹部の内周壁における前記カラー部材の前記中間部と対向する位置に、凸部が設けられた、請求項２又は３に記載のスクロール型圧縮機。
【請求項５】
スクロール型圧縮機の製造方法であって、
前記スクロール型圧縮機は、
第１面と、前記第１面とは反対側の第２面を有する第１基板と、前記第１基板の前記第１面に立設されている渦巻き状の第１内壁と、を有する可動スクロールと、
第３面を有する第２基板と、前記第２基板の前記第３面に立設されている渦巻き状の第２内壁と、を有する固定スクロールと、
主軸と偏心軸を有するシャフトと、
前記シャフトの前記主軸を軸支し、前記可動スクロールが収容されている円環状の軸受部材と、
外周面と内周面とを有し、前記外周面は前記第２面に対向する上端部と、前記上端部と反対側に位置する下端部と、前記上端部と前記下端部との中間に位置する中間部とを含み、前記外周面の前記上端部及び前記下端部に比して、前記中間部が内方に位置するカラー部材と、
を備え、
前記製造方法は、
前記第１基板の前記第２面に凹部を形成する第１工程と、
前記第１工程の後、前記カラー部材を前記凹部に挿入する第２工程と、
を備える、スクロール型圧縮機の製造方法。
【請求項６】
前記第２工程の後、前記凹部の内周壁における前記カラー部材の前記外周面の前記中間部と対向する位置に、凸部を形成する第３工程とをさらに備え、
前記凸部は、前記第１基板の側壁を打撃することにより、形成する、請求項５に記載のスクロール型圧縮機の製造方法。
【国際調査報告】
2018096965.tif 000011
2018096965.tif 000012